(57)【要約】【課題】装着及び位置合わせを容易に行うことができるネクタイを提供することを課題とする。【解決手段】衣類に設けられたボタンを介して装着されるネクタイであって、ネクタイ本体と、前記ネクタイ本体に設けられ、前記ボタンを挟み込むための挟持空間を前記ネクタイ本体との間に形成するクリップ部と、を備え、前記クリップ部には、前記ボタンの取付糸が挿入されるスリットが設けられている、ことを特徴とする。【選択図】図１
2016104918.tif 000002
【特許請求の範囲】
【請求項１】
衣類に設けられたボタンを介して装着されるネクタイであって、
ネクタイ本体と、
前記ネクタイ本体に設けられ、前記ボタンを挟み込むための挟持空間を前記ネクタイ本体との間に形成するクリップ部と、を備え、
前記クリップ部には、前記ボタンの取付糸が挿入されるスリットが設けられている、ことを特徴とするネクタイ。
【請求項２】
前記クリップ部には、挿入された前記取付糸を固定するための固定溝が設けられ、この固定溝は前記スリットに連続している、ことを特徴とする請求項1に記載のネクタイ。
【請求項３】
前記固定溝の溝口側が面取りされていることを特徴とする請求項２に記載のネクタイ。
【請求項４】
前記クリップ部は、前記ネクタイ本体の一端側を基端としてその自由端が他端側へ延びる第１のクリップと、前記ネクタイ本体の他端側を基端としてその自由端が一端側へ延びる第２のクリップと、を備え、
前記スリットは、対向するように配置された前記第１のクリップ及び前記第２のクリップによって形成されている、ことを特徴とする請求項１〜３の何れかに記載のネクタイ。
【請求項５】
前記第１のクリップ及び前記第２のクリップの基端側には、前記ボタンをスライドさせ、前記取付糸を前記スリットに挿入するための挿入ガイド溝が設けられていること、を特徴とする請求項４に記載のネクタイ。
【請求項６】
前記第１のクリップ及び前記第２のクリップの自由端側には、前記取付糸の抜け落ちを防止するための拡大部分が設けられていること、を特徴とする請求項４又は請求項５に記載のネクタイ。
【請求項７】
前記拡大部分は、前記取付糸の挿入及び抜去を円滑に行う為に面取りされていること、を特徴とする請求項６に記載のネクタイ。
【請求項８】
前記クリップ部は、前記ネクタイ本体の裏面側に設けられていること、を特徴とする請求項１〜７の何れかに記載のネクタイ。
【発明の詳細な説明】
【技術分野】
【０００１】
本発明は、衣類に設けられたボタンを介して装着され、極めて容易に着脱を行うことが可能なネクタイに関するものである。
【背景技術】
【０００２】
従来、ワイシャツ等の襟元に、結び目を作って巻きつけることで装着される帯状のネクタイが存在している。しかしながら、帯状のネクタイの装着には練習が必要であり、その装着作業は時間を要するものであった。また、襟周りに巻きつけるものであるため、装着者に対して、首を絞めつけるような圧迫感を感じさせるものであった。
【０００３】
特許文献１には、布状の蝶ネクタイ本体と、前記蝶ネクタイ本体に取り付けられ、ワイシャツ類のボタンを表面側と裏面側とから挟持するクリップとを備えた蝶ネクタイが記載されている。
【先行技術文献】
【特許文献】
【０００４】
【特許文献１】特開２０１４−６２３４５号公報
【発明の概要】
【発明が解決しようとする課題】
【０００５】
特許文献１に記載の技術によって、ネクタイを結ぶ作業を行うことなく、襟元に極めて容易に装着できるネクタイを提供することが可能となった。しかしながら、特許文献１に記載のネクタイは、その装着に際して位置合わせ作業を行う必要がある。
【０００６】
装着されたネクタイが美しく見えるためには、装着者を正面から見た際に、身体の中心軸と前記ネクタイの中心軸が一致している必要があり、それらを一致させるための位置合わせ作業を行う必要がある。しかしながら、首元に装着されたネクタイは、装着者から直接目視することは出来ないため、鏡等を見ながら位置合わせ作業を行う必要がある。
【０００７】
さらに、特許文献１に記載のネクタイは、ネクタイ本体と、ボタンを挟持するためのクリップと、が別個に形成されている。そのため、ネクタイの装着に際して、前記ネクタイ本体と前記クリップの位置関係にもずれが生じる恐れがあり、位置合わせ作業に困難性を有していた。
【０００８】
本発明は上記のような実状に鑑みてなされたものであり、装着及び位置合わせを容易に行うことができるネクタイを提供することを課題とする。
【課題を解決するための手段】
【０００９】
上記課題を解決するために、本発明は、衣類に設けられたボタンを介して装着されるネクタイであって、ネクタイ本体と、前記ネクタイ本体に設けられ、前記ボタンを挟み込むための挟持空間を前記ネクタイ本体との間に形成するクリップ部と、を備え、前記クリップ部には、前記ボタンの取付糸が挿入されるスリットが設けられている、ことを特徴とする。
【００１０】
このような構成とすることで、ネクタイ本体とクリップ部とのズレを防止し、ネクタイの位置合わせをより容易に行うことが可能となる。
【００１１】
本発明の好ましい形態では、前記クリップ部には、挿入された前記取付糸を固定するための固定溝が設けられ、この固定溝は前記スリットに連続している、ことを特徴とする。
このような構成とすることで、固定溝に取付糸をひっかけることができ、振動等によるネクタイのズレを防止することができる。さらに、身体の中心軸に対する適切な装着位置に、目視で作業を行うことなく誘導することができる。
【００１２】
本発明の好ましい形態では、前記固定溝の溝口側が面取りされている、ことを特徴とする。
このような構成とすることで、取付糸の損傷を抑えることができる。
【００１３】
本発明の好ましい形態では、前記クリップ部は、前記ネクタイ本体の一端側を基端としてその自由端が他端側へ延びる第１のクリップと、前記ネクタイ本体の他端側を基端としてその自由端が一端側へ延びる第２のクリップと、を備え、前記スリットは、対向するように配置された前記第１のクリップ及び前記第２のクリップによって形成されている、ことを特徴とする。
このような構成とすることで、一端側及び他端側のどちらからでもネクタイを装着できる。
【００１４】
本発明の好ましい形態では、前記第１のクリップ及び前記第２のクリップの基端側には、前記ボタンをスライドさせ、前記取付糸を前記スリットに挿入するための挿入ガイド溝が設けられていること、を特徴とする。
このような構成とすることで、挟持領域へのボタンの挿入をより容易に行うことが可能となる。
【００１５】
本発明の好ましい形態では、前記第１のクリップ及び前記第２のクリップの自由端側には、前記取付糸の抜け落ちを防止するための拡大部分が設けられていること、を特徴とする。
このような構成とすることで、ボタンからのネクタイの抜け落ちを防止することができる。
【００１６】
本発明の好ましい形態では、前記拡大部分は、前記取付糸の挿入及び抜去を円滑に行う為に面取りされていること、を特徴とする。
このような構成とすることで、取付糸を容易に挿入及び抜去することができる。
【００１７】
本発明の好ましい形態では、前記クリップ部は、前記ネクタイ本体の裏面側に設けられていること、を特徴とする。
【発明の効果】
【００１８】
本発明によって、装着及び位置合わせを容易に行うことができるネクタイを提供することができる。
【図面の簡単な説明】
【００１９】
【図１】本発明の実施形態１に係るネクタイを示す斜視図である。
【図２】本発明の実施形態１に係るネクタイを示す図である。
【図３】本発明の実施形態１に係るネクタイのボタン挿入時の状態を示す図である。
【図４】本発明の実施形態１に係るネクタイの装着状態を示す図である。
【図５】本発明の実施形態１に係るネクタイの装着状態を示す図である。
【図６】本発明の実施形態２に係るネクタイを示す図である。
【発明を実施するための形態】
【００２０】
以下、本発明の実施形態について図１ないし図６を参照して説明する。
＜実施形態１＞
図１〜図５は、本発明の実施形態１に関するクリップを対向する位置に配置したネクタイを示す図である。これらの図において、符号１はネクタイ全体を示し、符号２はネクタイ本体を、符号３はクリップ部を示している。次いで、これらの詳細について説明する。なお、図中においてＢはボタンを、Ｓはシャツを、ＢＳはボタンＢの取付糸を、それぞれ示している。
【００２１】
図１（ａ）はネクタイの裏面側斜視図を、図１（ｂ）はネクタイの表面側斜視図を示している。また、図２（ａ）はネクタイ１を裏面側から見た正面図を、図２（ｂ）はネクタイ１の平面図を、示している。図示例におけるネクタイ本体２は、面取りされた方形状の表面を有している。この表面側が、ネクタイ１の装着時に装着者の正面側に現れる。また、図１（ｂ）、図２（ｂ）に示すように、ネクタイ本体２とクリップ部３との間には、ボタンＢを挟み込むための挟持空間２１が形成されている。なお、ネクタイ本体２とクリップ部３の離間距離である挟持空間の幅は、ボタンＢの厚みに対して若干の遊びがあるのが好ましい。
【００２２】
ネクタイ本体２の形状には特に制限はなく、デザインに応じて自由な形状に形成することが可能である。また、ネクタイ本体２を図示例より薄く形成することで土台として、表面側に蝶ネクタイやブローチ等を設けるよう構成してもよい。
【００２３】
本実施形態におけるネクタイ１は、ワイシャツのボタンの内、最も襟元に近いボタン（以下、第１ボタン）を挟み込み装着することを想定している。また、図２（ｂ）に現れるように、第１位ボタンへの装着時に襟元に沿うよう、弓形に形成されている。このネクタイ１の大きさや湾曲具合、挟持空間２１の大きさ等には特に制限はないが、ボタンに装着する特性上、軽量性が高いものが好ましい。
【００２４】
クリップ部３は、本実施形態では、ネクタイ本体２の裏面に、ネクタイ本体２と一体に形成されている。クリップ部３は図１（ａ）、図２（ａ）に示すように、ネクタイ本体２の一端側を基端とする第１のクリップ４と、ネクタイ本体２の他端側を基端とする第２のクリップ５とを備えており、これらが対向する位置に設けられている。即ち、第１のクリップ４は、ネクタイ本体２の一端側を基端として他端側に伸びる自由端を、第２のクリップ５は、ネクタイ本体２の他端側を基端として一端側に伸びる自由端を備えている。
【００２５】
また、第１のクリップ４及び第２のクリップ５の間には、ボタンの取付糸ＢＳが挿入されるスリット３１が形成される。第１のクリップ４及び第２のクリップ５の離間距離であるスリット３１の幅は、ボタンＢの径より小幅に形成されている。挟持空間２１の幅及びスリット３１の幅によって、取付糸ＢＳがスリット３１内に挿入されている際には、ボタンＢが抜け落ちないように形成されている。クリップ部３は、可撓性を備えた樹脂材料、金属材料などにより形成される。
【００２６】
第１のクリップ４は、ネクタイ１の装着時に生じるズレを防止する固定溝４１と、ボタンＢを挟持空間２１へ挿入する際のガイドとして機能する挿入ガイド溝４２と、挿入されたボタンＢの抜け落ちを防ぐための拡大部分４３と、を備えている。なお、第２のクリップ５は、固定溝５１と、挿入ガイド溝５２と、拡大部分５３を備えており、以下に詳細に説明する第１のクリップ４と同様の構成となっている。
【００２７】
固定溝４１は、スリット３１に連続して設けられている。スリット３１に挿入された取付糸ＢＳを案内することで、スリット３１と固定溝４１の位置関係に基づく任意の位置に、取付糸ＢＳを滞在させることができる。また、図示例に示すように、固定溝４１に面取し、取付糸ＢＳの損傷を抑えるのが好ましい。
【００２８】
挿入ガイド溝４２は、第１のクリップ４基端近傍の、スリット３１側に設けられており、ボタンＢを挟持空間２１に挿入する際のガイドとしての機能を備えている。
【００２９】
拡大部分４３は、第１のクリップ４の自由端に設けられており、取付糸ＢＳをスリット３１に挿入する際のガイドとしての機能を備えている。拡大部分４３は、図示例に示すように、拡大部分４３に面取し、取付糸ＢＳの損傷を抑えるのが好ましい。また、面取することによって、取付糸ＢＳの挿入及び抜去を円滑に行うことが可能になるため好ましい。
【００３０】
図３を用いて、ボタンＢへネクタイ１を装着する方法を説明する。図３（ａ）は、ネクタイ１を裏面側から見た正面図である。また、図３（ｂ）は、図２（ｂ）のＡ−Ａ断面を示す断面図である。図３（ａ）及び図３（ｂ）に示すように、初めに、第１ボタンであるボタンＢを挿入ガイド溝４２と、拡大部分５３によって形成される挟持空間２１に移動する（ボタンＢ１の位置）。
【００３１】
次いで、ボタンＢを、挿入ガイド溝４２及び第１のクリップ４のスリット３１側に沿わせ、固定溝４１方向に移動させる。なお、実際の装着に際しては、着用しているシャツの第1ボタンであるボタンＢに対して、ネクタイ１を動かすことで装着が行われる。
【００３２】
拡大部分５３と、第１のクリップ４のスリット３１側によって形成される隙間は、スリット３１から取付糸ＢＳが抜け落ちてしまわないよう、取付糸ＢＳの径より小さくなるよう設定されている。若しくは、通常の状態では、拡大部分５３と、第１のクリップ４が接触していても構わない。
【００３３】
前記隙間に対して、取付糸ＢＳが挿入されたなら、挿入の力とクリップ部３の可撓性により前記隙間が広がり、スリット３１内に取付糸ＢＳを挿入することができる（ボタンＢ２の位置）。
【００３４】
スリット３１内に取付糸ＢＳが挿入されたなら、更に固定溝５１に誘導する（ボタンＢ３の位置）。図３（ｃ）は、取付糸ＢＳを固定溝５１に誘導した際の平面図である。勿論、拡大部分４３と、第２のクリップ５のスリット３１側からボタンＢが挿入されても構わない。
【００３５】
図４は、ネクタイ１をウイングカラーシャツＳの第１ボタンに装着した場合の装着図を、図５は、ネクタイ１をレギュラーカラーシャツＳの第１ボタンに装着した場合の装着図を示す。
【００３６】
本実施形態１によれば、ネクタイ本体２に対してクリップ部３が固定された位置に設けられていることにより、ネクタイ本体２とクリップ部３との間でのずれを無くし、ネクタイ１を正しい装着向きで容易に装着することができる。
【００３７】
また、固定溝４１（固定溝５１）が、スリット３１に連続する形で設けられていることにより、スリット３１での取付糸ＢＳの移動を防止することができる。更に、固定溝４１が設けられた任意の位置に取付糸ＢＳを誘導することができるため、ネクタイ１を正しい装着位置で容易に装着することができる。
【００３８】
また、取付糸ＢＳの抜け落ちを防止するための拡大部分４３（拡大部分５３）によって、スリット３１への取付糸ＢＳの挿入及び抜去を円滑に行うことができる。また、固定溝４１（固定溝５１）の溝口側や、クリップ部３が面取されていることにより、取付糸ＢＳの摩耗を抑えることができる。
【００３９】
また、第１のクリップ４及び第２のクリップ５が、対向するように配置されていることで、ネクタイ１の一端側及び他端側のどちらからでもボタンを挿入・抜去することができる。更に、ネクタイ１の重心がネクタイ１の中心付近に設定されるため、正しい装着姿勢の保持がより容易なものとなる。
【００４０】
＜実施形態２＞
図６は、本発明の実施形態２に係るネクタイ１を示す図である。なお、図６において、図１ないし図５と基本的に同一の構成要素については、同一の符号を付してその説明を簡略化する。
【００４１】
この実施形態２におけるネクタイ１も、ネクタイ本体２と、ネクタイ２の裏面に設けられたクリップ部３と、を備えている。本実施形態２におけるネクタイ１は、第１のクリップ４と、第２のクリップ５とが、ともにネクタイ１の他端側を基端としており、それぞれのクリップの自由端は一端側に形成されている。
【００４２】
このような形態であっても、図６（ｂ）に示すように、ボタンＢ１の位置からボタンＢ３の位置までボタンＢが移動することによって、ネクタイ１を装着することが可能である。
【００４３】
また、ネクタイ１の他端側を装着者の顔側に、一端側を地面方向に向けて、ネクタイ１を装着することも可能である。
【産業上の利用可能性】
【００４４】
装着が極めて容易であり、正しい姿勢で容易に装着することが可能な、新規なデザインのネクタイを提供することができる。
【符号の説明】
【００４５】
１  ネクタイ
２  ネクタイ本体
２１  挟持空間
３  クリップ部
３１  スリット
４  第１のクリップ
４１  固定部
４２  挿入ガイド溝
４３  拡大部分
５  第２のクリップ
５１  固定部
５２  挿入ガイド溝
５３  拡大部分
Ｂ、Ｂ１〜３  ボタン
Ｓ  シャツ
ＢＳ  取付糸
【図１】
2016104918.tif 000003
【図２】
2016104918.tif 000004
【図３】
2016104918.tif 000005
【図４】
2016104918.tif 000006
【図５】
2016104918.tif 000007
【図６】
2016104918.tif 000008